(57)【要約】【課題】  胴部表面に巻き取る線状体の終端部を、従来のような粘着テープを用いることなく、ワンタッチで仮止めすることができ、作業も簡単にでき、ボビン本体の外観品質も良好に保持することができる巻取用ボビンを提供すること。【解決手段】  中空胴部と、該胴部の両端から外向きに張り出した環状フランジ部４とを有し、胴部内の中心部に軸穴部となる中空管部５を同心状に配置し、該管部と胴部を円周方向に複数個、所定間隔で放射状に配置したアーム６を介して連結し、該アームに回転駆動用のケリ穴８が設けられたボビン本体２を具え、両フランジ部間の胴部表面に光ファイバや電線等の線状体を巻き取るためのボビンにおいて、胴部表面に巻き取った線状体１０の終端部を仮止めする圧入部材１５をケリ穴８に着脱可能に嵌合したことを特徴とする。【選択図】      図２
2005219905.tif 000002
【特許請求の範囲】
【請求項１】
中空胴部と、該胴部の両端から外向きに張り出した環状フランジ部とを有し、前記胴部内の中心部に軸穴部となる中空管部を同心状に配置し、該管部と胴部を円周方向に複数個、所定間隔で放射状に配置したアームを介して連結し、該アームに回転駆動用のケリ穴が設けられたボビン本体を具え、前記両フランジ部間の胴部表面に光ファイバや電線等の線状体を巻き取るためのボビンにおいて、
前記胴部表面に巻き取った線状体の終端部を仮止めする圧入部材を前記ケリ穴に着脱可能に嵌合したことを特徴とする巻取用ボビン。
【請求項２】
圧入部材は、ケリ穴に嵌合する中空筒部と、この筒部の一端に設けられた頭部からなり、筒部には線状体の終端部を挿通する孔部が形成されている請求項１記載の巻取用ボビン。
【請求項３】
孔部は、筒部の他端から一端に向けて切欠き形成され、頭部の近くで止まった所定長さの縦溝である請求項２記載の巻取用ボビン。
【請求項４】
縦溝は、筒部の円周方向に４個、ほぼ等間隔に十字状に形成されている請求項３記載の巻取用ボビン。
【請求項５】
筒部の外面には嵌合調整用の縦リブが形成されている請求項３又は４記載の巻取用ボビン。
【請求項６】
頭部は、筒部より外側に突出した縁部がケリ穴の外径よりも径大になっている請求項２ないし５のいずれかに記載の巻取用ボビン。
【発明の詳細な説明】
【技術分野】
【０００１】
この発明は、光ファイバや電線等の線状体を巻き取るボビン、特に胴部の表面に巻き取る線状体の終端部をワンタッチで仮止めできるボビンに関するものである。
【背景技術】
【０００２】
この種の巻取用ボビンとして、中空胴部と、該胴部の両端から外向きに張り出した環状フランジ部とを有し、前記胴部内の中心部に軸穴部となる中空管部を同心状に配置し、該管部と胴部を円周方向に複数個、所定間隔で放射状に配置したアームを介して連結し、該アームに回転駆動用のケリ穴が設けられたボビン本体を具え、前記両フランジ部間の胴部表面に光ファイバや電線等の線状体を巻き取るものが知られている（例えば、特許文献１参照）。このようなボビンは胴部表面に線状体を巻き取り、その終端部が解けないように仮止めした後、梱包されてエンドユーザーへ出荷される。
【０００３】
【特許文献１】特開２００２−１７９３４０号公報
【発明の開示】
【発明が解決しようとする課題】
【０００４】
ところで、前記従来のボビンは、仮止めに際して線状体の終端部をボビン本体のフランジ部の外面等に例えば荷造用粘着テープによって貼り付けていた。しかし、このような粘着テープの利用による直止め方法では、エンドユーザーが途中まで巻き解いた線状体を再度止めるには同様に粘着テープが必要で、粘着テープが必須条件となっており、その準備にかなりの負担となっていた。また、粘着テープの場合、粘着テープの切断作業、線状体の終端部への貼り付け作業、ボビン本体への貼り付け作業、と多くの作業が必要となっていた。さらに、粘着テープの場合、何回も貼り付けたりしていると、ボビン本体のテープが貼り付けられる部分がテープの粘着剤等の付着により次第に汚れてしまい、ボビン本体の外観品質を低下させるとともに、付着した粘着剤等が長期間の保管等により硬化すると線状体の巻き解しが難しくなるという問題があった。
【０００５】
そこでこの発明は、前記のような従来のものが有する問題点を解決し、胴部表面に巻き取る線状体の終端部を、従来のような粘着テープを用いることなく、ワンタッチで仮止めすることができ、作業も簡単にでき、ボビン本体の外観品質も良好に保持することができる巻取用ボビンを提供することを目的とする。
【課題を解決するための手段】
【０００６】
前記目的を達成するために、請求項１に記載の発明は、中空胴部と、該胴部の両端から外向きに張り出した環状フランジ部とを有し、前記胴部内の中心部に軸穴部となる中空管部を同心状に配置し、該管部と胴部を円周方向に複数個、所定間隔で放射状に配置したアームを介して連結し、該アームに回転駆動用のケリ穴が設けられたボビン本体を具え、前記両フランジ部間の胴部表面に光ファイバや電線等の線状体を巻き取るためのボビンにおいて、前記胴部表面に巻き取った線状体の終端部を仮止めする圧入部材を前記ケリ穴に着脱可能に嵌合したことを特徴とする。
【０００７】
請求項２に記載の発明は、請求項１において、圧入部材は、ケリ穴に嵌合する中空筒部と、この筒部の一端に設けられた頭部からなり、筒部には線状体の終端部を挿通する孔部が形成されていることを特徴とする。請求項３に記載の発明は、請求項２において、孔部は、筒部の他端から一端に向けて切欠き形成され、頭部の近くで止まった所定長さの縦溝であることを特徴とする。
【０００８】
請求項４に記載の発明は、請求項３において、縦溝は、筒部の円周方向に４個、ほぼ等間隔に十字状に形成されていることを特徴とする。請求項５に記載の発明は、請求項３又は４において、筒部の外面には嵌合調整用の縦リブが形成されていることを特徴とする。請求項６に記載の発明は、請求項２ないし５のいずれかにおいて、頭部は、筒部より外側に突出した縁部がケリ穴の外径よりも径大になっていることを特徴とする。
【発明の効果】
【０００９】
請求項１ないし６に記載の発明は、前記のように胴部表面に巻き取った線状体の終端部を仮止めする圧入部材を前記ケリ穴に着脱可能に嵌合した構成からなるので、胴部表面に巻き取る線状体の終端部を、従来のような粘着テープを用いることなく、ワンタッチで仮止めすることができ、線状体の仮止め作業がきわめて簡単で作業性のよいものになった。しかも、従来のような粘着テープのように廃棄物がでることもないとともに、粘着剤の跡がつくこともないからボビン再生樹脂化の際の洗浄も不要になるなどボビン本体の外観品質も良好に保持することができるという優れた効果が期待できる。
【発明を実施するための最良の形態】
【００１０】
この発明の一実施の形態を、添付図面を参照して説明する。図１はその縦断正面図、図２は側面図である。１は合成樹脂製の巻取用ボビンで、ボビン本体２を具えている。ボビン本体２は両端が開口した中空円筒状の胴部３と、該胴部の両端から外向きにほぼ直角に張り出した環状フランジ部４，４′とを有している。胴部３内の中心部には軸穴部となる中空円筒状の管部５が同心状に配置され、該管部は円周方向に複数個、等間隔で放射状に配置したアーム６を介して胴部３と一体に連結されている。アーム６は胴部３の軸方向中心部に配置された環状板７を境にして左右（一端・他端）に胴部３の軸方向長さの半分の長さを有し、円周方向に６０°の角度で６個づつ、それぞれ左右で円周方向に３０°の位相をずらして一体に設けられている。それぞれ円周方向に１つおきのアーム６の管部５に近い位置には回転駆動用の中空円筒状のケリ穴８が一体に設けられている。ケリ穴８はこの例では大小ダブルの短管状からなっているが、必ずしもこのような構成にしなくともよい。９は開口部である。
【００１１】
フランジ部４，４′は所定の厚みを有し、その外向き面には浅い環状に連なる凹所１１が形成され、該凹所にはリブ１２が複数個、放射方向にアーム６と一直線状となるように等間隔で形成されている。フランジ部４，４′の適所には光ファイバや電線等の線状体１０の挿通用穴１３が複数個、円周方向に間隔をおいて設けられ、フランジ部４，４′間の胴部３の表面に巻き取った線状体を該穴から外側に引き出すことが可能になっている。図１で１４は胴部３に切欠形成された線状体１０の始端部を引っ掛ける巻始口で、角穴からなっている。
【００１２】
ケリ穴８には胴部表面に巻き取った線状体１０の終端部を仮止めする圧入部材１５が着脱可能に嵌合されるようになっている。圧入部材１５はポリスチレン等の熱可塑性樹脂からなり、図３，４に示すようにケリ穴８に嵌合する中空円筒状の筒部１６と、該筒部の一端に筒部１６より径大に一体に設けられた円盤状の頭部１７からなっている。筒部１６の他端部は嵌合に際し挿入し易いように外面が切欠された径小部１８に形成されている。頭部１７は表面が中央部から周縁に向けてやや傾斜した凸形状を呈している。頭部１７の筒部１６より外側に突出した環状縁部はケリ穴８の外径よりも大きく、径大になっていて圧入部材１５をケリ穴８に嵌合するとき又は嵌合を外すときの摘み部１９となっている。
【００１３】
筒部１６には線状体１０の終端部を挿通する孔部としての縦溝２０が円周方向に所定の間隔を置いて複数個形成されている。この例では、４個の縦溝２０が等間隔で十字状に形成されている。縦溝２０は筒部１６の他端から一端に向けて切欠き形成され、頭部１７の近くで止まっている。なお、縦溝２０であるが、必ずしも図面のように４個、十字状に形成しなくともよく、２個を相対向して又は相対向せずに形成してもよい。また、孔部としては必ずしも縦溝２０である必要もなく、透孔又は所定形状の切欠きでもよい。また、線状体１０の終端部を圧入部材１５で挟みつける等して仮止め可能であれば、必ずしも孔部は必要ではない。
【００１４】
筒部１６の縦溝２０の縁に沿う外面には嵌合調整用の縦リブ２２が形成されている。この縦リブ２２は頭部１７のやや下方から筒部１６の他端部の径小部１８に至るまで形成されており、筒部１６がケリ穴８に圧入により嵌合されるときに縦溝２０によって筒部１６が弾性変形して縮径するが、そのときの嵌合が円滑に行えるように作用する。
【００１５】
前記のような巻取用ボビン１は、管部５が図示しない巻き取り装置の軸部に装着されて、回転されることにより、胴部３の表面に線状体１０を巻き取ることになる。巻き取りに際しては線状体１０の始端部を胴部３の巻始口１４に引っ掛け、前記のようにボビン１を回転することにより線状体１０を巻き取る。そして巻取り終端にきたときに、該終端部を図２に示すように穴１３に通したうえ、外側に引き出して図３，４に示すように圧入部材１５の縦溝２０に通すとともに、この圧入部材１５の筒部１６をケリ穴８に押し込んで嵌合する。図３は嵌合途中の状態を示し、ここからさらに嵌合が進み、圧入部材１５の頭部１７がケリ穴８を形成する管部の縁に当接すると、線状体１０の縦溝２０と係合した終端部はやや段差がついた状態で仮り止められる。そしてこの仮り止められた状態で線状体１０は工場等から出荷される。そのため車両等で輸送されるときにも線状体１０が巻き解かれるという心配がない。
【００１６】
一方、線状体１０をユーザー側で使用するときは圧入部材１５の筒部１６をケリ穴８から取り外し、線状体１０の終端部を縦溝２０から外すとともに、穴１３からも外したうえ、ボビン本体２から必要ぶん巻き解して切断することにより行う。そして再び仮止めするときは前記切断により新しい終端部となった線状体１０の終端部を前記と同様に穴１３に通したうえ、外側に引き出して圧入部材１５の縦溝２０に通すとともに、この圧入部材１５の筒部１６をケリ穴８に嵌合する。以下も同様である。
【００１７】
前記のように線状体１０の終端部の仮止めを従来からあるケリ穴８を利用し、このケリ穴に圧入部材１５の筒部１６を嵌合するだけという簡単な作業で行うことが可能となる。しかも、作業に従来のように粘着テープを用いる必要もないからユーザー側の負担もなく、作業性が著しく向上する。また、従来のように粘着テープを用いることによるボビン本体２の外観品質の低下もなく、長期にわたり良品質のボビンを提供することが可能となる。
【００１８】
前記実施の形態は好ましい一例を示したにすぎず、ケリ穴８やこれに嵌合する圧入部材１５の形状は図示した以外のものとしてもよいし、材質等も任意のものを用いることが可能である。そのほかの細部構成についても実際の実施に際して請求項に記載した技術的事項の範囲内で種々に変更や修正ができる。
【図面の簡単な説明】
【００１９】
【図１】この発明の一実施の形態を示す縦断正面図である。
【図２】同上の側面図である。
【図３】圧入部材のケリ穴に嵌合中の状態を示す拡大断面図である。
【図４】同上の平面図である。
【符号の説明】
【００２０】
１  巻取用ボビン                          ２  ボビン本体
３  胴部                                  ４，４′  環状フランジ部
５  管部                                  ６  アーム
７  環状板                                ８  ケリ穴
１０  線状体                              １１  環状の凹所
１２  リブ                                １５  圧入部材
１６  筒部                                １７  頭部
２０  縦溝（孔部）                        ２２  縦リブ
【図１】
2005219905.tif 000003
【図２】
2005219905.tif 000004
【図３】
2005219905.tif 000005
【図４】
2005219905.tif 000006